(57)【要約】      （修正有）【課題】傘布と傘骨とが簡易に接合され、組立てが簡単であり、製造効率の向上を図ることができる傘布と傘骨との接合装置を提供する。【解決手段】傘布２００に設けられた固定部材１０と、固定部材と一体に接合し、傘骨１００に対して滑り移動自在な可動部材２０とを設けている。可動部材は、中空筒状体であり、リブ１３０が挿通して相対的に摺動可能に設けられた貫通孔２３が形成され、固定部材と可動部材の連結部２１は、ホットプレス法によって一体に接合されている。傘の開閉時、傘布が傘骨に対して滑り移動することができるので、縫い糸が繰り返し引っ張られて摩損断裂したり、傘布が破れたりすることがない。また、傘布と傘骨とを一体に接合しているので、手作業による縫製を行う必要がなくなり、簡単に組立てられることができる。【選択図】図１
0003195239.tif 000002
【実用新案登録請求の範囲】
【請求項１】
傘骨の長く延伸される軸線に沿って長手状に延伸されたリブを有する傘骨に傘布を接合するために用いられる接合装置であって、
前記リブに対応して、前記傘布における複数の傘生地を相互に隣接して接合した接合部にタブ状に突き出て設けられた固定部材と、
前記傘骨の前記傘布に対する前記軸線と垂直の径方向への動きが規制されるために、前記固定部材に対応して連結されるように前記軸線に沿って前記リブに摺動可能に取り付けられた本体部と、前記本体部の外周面より前記固定部材に対応してタブ状に突き出て設けられた連結部とを含む可動部材と
を備えていることを特徴とする傘骨と傘布との接合装置。
【請求項２】
前記傘布は、プラスチック材質であり、
前記固定部材と前記可動部材とは、プラスチック材質であることを特徴とする請求項１に記載の傘骨と傘布との接合装置。
【請求項３】
前記本体部は、前記リブに摺動可能に外嵌されるように形成された中空筒状体であり、前記リブが挿通して相対的に摺動可能に設けられた貫通孔が形成されていることを特徴とする請求項２に記載の傘骨と傘布との接合装置。
【請求項４】
前記固定部材と前記可動部材の前記連結部とは、ホットプレス法によって一体に接合されていることを特徴とする請求項３に記載の傘骨と傘布との接合装置。
【請求項５】
前記固定部材と前記可動部材とが着脱自在に互いに接合可能に、前記固定部材及び前記可動部材の間に設けられた接合ユニットを更に有することを特徴とする請求項１〜３のいずれか１項に記載の傘骨と傘布との接合装置。
【請求項６】
前記接合ユニットは、前記固定部材に設けられたメス型スナップである第１の接合部材と、前記可動部材の前記連結部に設けられた、前記第１の接合部材と凹凸係合されるオス型スナップである第２の接合部材とを含む着脱式のスナップボタンであることを特徴とする請求項５に記載の傘骨と傘布との接合装置。
【考案の詳細な説明】
【技術分野】
【０００１】
本考案は、傘に関し、より詳しくは、傘布が傘骨を覆うように張設されている傘に関する。
【背景技術】
【０００２】
一般に、傘は、中棒と、中棒の上端に固定された上ろくろと、中棒に上下摺動可能に嵌設された下ろくろと、上ろくろ及び下ろくろの間に枢結された傘骨と、傘骨を覆うように張設された傘布とを含む。傘布は通常複数の略二等辺三角形状の傘生地を相互に隣接して縫い合わせてなり、縫い糸で傘骨に縫い付けられて固定される。下ろくろが中棒の上端側に移動すると、傘骨が開き、傘骨を覆っている傘布が広がって開傘される。下ろくろが中棒の下端側に移動すると、傘布が傘骨と共に閉じて閉傘される。
【考案の概要】
【考案が解決しようとする課題】
【０００３】
従来の傘は、開閉中に、傘骨と傘布とが相対的に滑り移動するので、縫い糸が繰り返し引っ張られて摩損して切れたり、傘布が破れたりして利用できなくなる問題点がある。また、傘布を傘骨に縫い付けて固定する作業は、中棒、傘骨、上ろくろ、下ろくろなどを組み立てた後に行なわなければならないので、手作業でしなければならない。このため、機械による自動縫製作業をすることができず、組立てに時間や手間が掛り、製造効率が悪い問題点もある。
【０００４】
本考案は、傘布と傘骨とが簡易に接合され、組立てが簡単であり、製造効率の向上を図ることができる傘布と傘骨との接合装置を提供することを目的とする。
【課題を解決するための手段】
【０００５】
上記目的を達成するために、本考案は、傘骨の長く延伸される軸線に沿って長手状に延伸されたリブを有する傘骨に傘布を接合するために用いられる接合装置である。本考案に係る傘骨と傘布との接合装置は、前記リブに対応して、前記傘布における複数の傘生地を相互に隣接して接合した接合部にタブ状に突き出て設けられた固定部材と、前記傘骨の前記傘布に対する前記軸線と垂直の径方向への動きが規制されるために、前記固定部材に対応して連結されるように前記軸線に沿って前記リブに摺動可能に取り付けられた本体部と、前記本体部の外周面より前記固定部材に対応してタブ状に突き出て設けられた連結部とを含む可動部材とを備えていることを特徴とする。
【考案の効果】
【０００６】
本考案による傘骨と傘布との接合装置は、傘布に設けられた固定部材と、固定部材と一体に接合することができ、傘骨に対して滑り移動自在な可動部材とを設けているので、傘骨に張設された傘布が傘骨に対して相対的に滑り移動自在になる。従って、傘の開閉時、縫い糸が繰り返し引っ張られて摩損して切れたり、傘布が破れたりして利用できなくなる従来の問題点を解消でき、傘は長く使用できる。また、傘骨と傘布とは接合装置によって互いに一体に接合することができるので、手作業による縫製を行う必要がなくなり、簡単に組立てられることができる。従って、傘の製造に時間や手間が掛らずに済み、製造効率の向上を図ることができる。
【図面の簡単な説明】
【０００７】
【図１】本考案に係る傘布と傘骨との接合装置の第１の実施例を示す分解斜視図である。
【図２】図１の組立断面図である。
【図３】図２における線III−IIIの断面図である。
【図４】本考案に係る傘布と傘骨との接合装置の第２の実施例を示す分解斜視図である。
【考案を実施するための形態】
【０００８】
以下に、１つ以上の実施例を挙げて本考案を説明するが、本考案はこれらに限定されない。なお、各図面に示される同一構成部材には、同一の符号を付するものとし、重複した説明は適宜省略する。
【０００９】
（第１の実施例）
図１は本考案に係る傘布と傘骨との接合装置の第１の実施例を示す分解斜視図、図２は図１の組立断面図、図３は図２における線III−IIIの断面図である。傘は、中棒（図示せず）に複数本の傘骨１００が開閉自在に支持され、傘骨１００に傘布２００が張設され、複数の本考案に係る接合装置によって傘骨１００に傘布２００を接合して構成される。
【００１０】
傘骨１００は、自身の長く延伸された軸線Ｌに沿って中棒に支持された基端部より該基端部から離れた先端部まで長く延伸された親骨１１０と、傘骨１００の基端部及び先端部の間に枢結された受骨１２０とを含む。親骨１１０は、親骨１１０における受骨１２０が枢結された枢着部から先端部へ長手状に延伸されたリブ１３０を有する。なお、傘布２００は、複数の略二等辺三角形状の例えばプラスチック材質の傘生地を、従来より用いられた技術によって、相互に隣接して接合して作られたものである。
【００１１】
本考案に係る接合装置は、傘布２００における複数の傘生地を相互に隣接して接合した接合部２１０に設けられた固定部材１０と、固定部材１０と連結されるようにリブ１３０に取り付けられた可動部材２０とを備えている。
【００１２】
固定部材１０は、傘骨１００のリブ１３０に対応して傘布２００の接合部２１０に、例えばタブ状に突出するように設けられている。なお、固定部材１０は、１例としては傘布２００と同じプラスチック材質でつくられ、例えば傘布２００に一体に連結されてなるものである。
【００１３】
可動部材２０は、傘布２００に対して軸線Ｌに沿って滑り移動可能に、軸線Ｌに沿って傘骨１００のリブ１３０に摺動可能に外嵌されるように形成された中空筒状体である本体部２２と、本体部２２の外周面より固定部材１０に対応して接合可能に例えばタブ状に形成された連結部２１と、を有する。本体部２２は、リブ１３０が挿通して相対的に摺動可能に設けられた貫通孔２３が形成されている。なお、固定部材１０は、例えばホットプレス法により連結部２１と接着される。可動部材２０の貫通孔２３にリブ１３０が挿通し、固定部材１０と連結部２１とが接着されると、可動部材２０によって傘骨１００の傘布２００に対する軸線Ｌと垂直の径方向への動きが規制される。なお、可動部材２０は、固定部材１０と簡単に接合するために、固定部材１０と同じ材質で作られるとよく、１例としては、プラスチック材質である。
【００１４】
以上のように構成された本考案に係る接合装置は、本体部２２が傘布２００に対してリブ１３０を摺動可能に設けられているので、傘の開閉時、傘骨１００と傘布２００とが相対的に滑り移動自在になるので、従来の縫い糸が繰り返し引っ張られて摩損して切れたり、傘布が破れたりして利用できなくなる問題点を解消できる。従って、傘は長く使用できる。
【００１５】
また、本考案に係る接合装置は、組立てに際して、本体部２２がリブ１３０に摺動可能に嵌設される可動部材２０を予め用意しておくことができるので、リブ１３０が貫通孔２３に挿通して本体部２２に取り付けられてから、傘布２００に一体連結された固定部材１０と可動部材２０の連結部２１とがホットプレス法によって接着されると、傘布２００が傘骨１００を覆うように張設される。従って、傘骨１００と傘布２００は、手作業による縫製を行うことがなくなり、簡単に組立てられることができるので、製造時間や手間が掛らずに済み、製造効率の向上を図ることができる。
【００１６】
以上により、本考案に係る接合装置は、構成が簡単である上、組立ても手間が掛らずに済むので、製造効率が良好に向上することができる。
【００１７】
（第２の実施例）
図４は本考案に係る傘布と傘骨との接合装置の第２の実施例を示す分解斜視図である。第２の実施例に係る接合装置は、第１の実施例の構成と類似するが、固定部材１０と可動部材２０とを含む他、固定部材１０及び可動部材２０の間に設けられた接合ユニット３０を更に有する。
【００１８】
接合ユニット３０は、着脱自在に互いに接合可能に設けられた第１の接合部材３１と第２の接合部材３２とを有する。接合ユニット３０は、一例としては、凹凸係合による着脱式のスナップボタンであり、即ち、固定部材１０に設けられた、凹状の嵌合穴を有するメス型スナップである第１の接合部材３１と、可動部材２０の連結部２１に設けられた、第１の接合部材３１の嵌合穴に嵌められ一体になる凸状の係合部を有するオス型スナップである第２の接合部材３２とを含むものである。なお、接合ユニット３０は、着脱自在に互いに引っ掛けられて一体化するように係合可能なフック状係合部材とループ状係合部材とを含む留め具であってもよい。
【００１９】
第２の実施例に係る接合装置は、第１の実施例に係る接合装置と同様に、組立てに際して、本体部２２がリブ１３０に摺動可能に嵌設される可動部材２０を予め用意しておくことができるので、リブ１３０が貫通孔２３に挿通して本体部２２に取り付けられてから、着脱式の接合ユニット３０によって、固定部材１０と可動部材２０とを着脱可能に一体に接合することができる。従って、第２の実施例に係る接合装置は第１の実施例に係る接合装置と同様な効果を有する上、傘布２００の取替えも簡単になる。
【産業上の利用可能性】
【００２０】
本考案に係る傘骨と傘布との接合装置は、傘布の取替えをする傘に有用である。
【符号の説明】
【００２１】
１０  固定部材
２０  可動部材
２１  連結部
２２  本体部
２３  貫通孔
３０  接合ユニット
３１  第１の接合部材
３２  第２の接合部材
１００  傘骨
１１０  親骨
１２０  受骨
１３０  リブ
２００  傘布
２１０  接合部
Ｌ  軸線
【図１】
0003195239.tif 000003
【図２】
0003195239.tif 000004
【図３】
0003195239.tif 000005
【図４】
0003195239.tif 000006